(57)【要約】【課題】多チャンネルで放送される番組に係る情報の記憶を適応的に制御すること。【解決手段】チャンネル情報管理部２０３は、チャンネル情報と関連付けられたチャンネルごとの優先順位を管理する。番組関連情報取得部２０１は、放送波処理部２０から入力されたＴＳ信号に含まれる番組関連情報を抽出して取得し、取得した番組関連情報を番組関連情報管理部２０２へ出力する。番組関連情報管理部２０２は、チャンネルごとの優先順位に基づいて、入力された番組関連情報を記憶すべきか否かを判定し、判定結果に応じて記憶すべき番組関連情報を記憶部６１に記憶させて管理する。【選択図】  図２
2011217186.tif 000002
【特許請求の範囲】
【請求項１】
複数のチャンネルの少なくとも１のチャンネルに対して優先順位を設定する設定手段と、
前記複数のチャンネルで放送される番組に関連する番組関連情報を取得する取得手段と、
前記番組関連情報に係る番組を放送するチャンネルのうち、前記設定手段が設定した前記優先順位が相対的に上位のチャンネルの番組関連情報を、前記上位のチャンネルに対して設定された優先順位を示す情報と関連付けて格納すると共に、前記優先順位が相対的に下位のチャンネルの番組関連情報を破棄することで、格納可能な情報の上限量以内で前記番組関連情報を格納するように管理する管理手段と、
を具備する放送受信装置。
【請求項２】
前記管理手段は、取得した特定チャンネルの前記番組関連情報を格納することで前記上限量を超える場合は、格納しようとした前記番組関連情報に係る番組を放送する前記特定チャンネルに対して設定された優先順位と、格納した前記番組関連情報と関連付けられた優先順位のうち最も低い優先順位とを比較して、優先順位の低いチャンネルで放送される番組の番組関連情報を破棄するように管理することを特徴とする請求項１記載の放送受信装置。
【請求項３】
前記設定手段は、前記優先順位を設定することを利用者に許可することを特徴とする請求項１記載の放送受信装置。
【請求項４】
前記設定手段は、複数のチャンネルが同じ優先順位となることを許可することを特徴とする請求項１記載の放送受信装置。
【請求項５】
前記管理手段が管理して格納した前記番組関連情報に基づいて、電子番組表の画面を生成する生成手段をさらに具備することを特徴とする請求項１記載の放送受信装置。
【請求項６】
前記管理手段は、格納した前記番組関連情報の量が前記上限量以下の場合は、取得した前記番組関連情報を順次格納することを特徴とする請求項１記載の放送受信装置。
【請求項７】
複数のチャンネルの少なくとも１のチャンネルに対して優先順位を設定する設定手段と、
前記複数のチャンネルで放送される番組に関連する番組関連情報を取得する取得手段と、
前記番組関連情報に係る番組を放送するチャンネルのうち、前記設定手段が設定した前記優先順位が相対的に上位のチャンネルの番組関連情報を、前記上位のチャンネルに対して設定された優先順位を示す情報と関連付けて、格納可能な情報の上限量以内で格納するように管理する管理手段と、
を具備する放送受信装置。
【請求項８】
複数のチャンネルの少なくとも１のチャンネルに対して優先順位を設定し、
前記複数のチャンネルで放送される番組に関連する番組関連情報を取得し、
前記番組関連情報に係る番組を放送するチャンネルのうち、設定された前記優先順位が相対的に上位のチャンネルの番組関連情報を、前記上位のチャンネルに対して設定された優先順位を示す情報と関連付けて格納すると共に、前記優先順位が相対的に下位のチャンネルの番組関連情報を破棄することで、格納可能な情報の上限量以内で前記番組関連情報を格納するように管理する、
ことを特徴とする放送受信方法。
【発明の詳細な説明】
【技術分野】
【０００１】
本発明の実施形態は、複数のチャンネル分の放送番組に関連する情報を受信する放送受信装置及び放送受信方法に関する。
【背景技術】
【０００２】
近年、デジタル放送の普及に伴う多チャンネル化が著しい。
地上波だけでなく衛星放送、ＣＡＴＶ等の有線放送、さらにはインターネットを介して提供される通信放送までも含めると、チャンネル数は相当な数になることが容易に想定できる。
【０００３】
そこで、多チャンネルの放送で取得される情報を効率的に管理することが期待されている。
例えば特許文献１では、多チャンネル放送に対して、機器の利用者が選択したチャンネルや番組を残し、非選択としたチャンネルや番組を除いたＥＰＧの表示手法が開示されている。
【先行技術文献】
【特許文献】
【０００４】
【特許文献１】特開２００４−１７９７１６号公報  （図４  段落００２９）
【発明の概要】
【発明が解決しようとする課題】
【０００５】
しかし特許文献１では、メモリに格納された番組情報と個別ＥＰＧ画面のためのユーザ設定情報とに基づいて、個別ＥＰＧ画面が生成されていた。また、個別ＥＰＧ画面の生成に必要な情報だけを取得すること又はメモリに格納することが開示されている。
【０００６】
この特許文献１の手法では、限られた容量内に、取得したいチャンネル分の番組情報が全て格納されない可能性があった。また、取得しようとしているチャンネルの番組情報が少ししか送られてこない場合、余裕のある容量を有効に利用できなかった。すなわち従来は、多チャンネルで放送される番組に係る情報の記憶を適応的に制御することができなかった。
【０００７】
そこで、本発明の実施形態は上述した課題を解決するために、多チャンネルで放送される番組に係る情報の記憶を適応的に制御することができる放送受信装置及び放送受信方法を提供することを目的とする。
【課題を解決するための手段】
【０００８】
本発明の実施形態は上述した課題を解決するため、複数のチャンネルの少なくとも１のチャンネルに対して優先順位を設定する設定手段と、前記複数のチャンネルで放送される番組に関連する番組関連情報を取得する取得手段と、前記番組関連情報に係る番組を放送するチャンネルのうち、前記設定手段が設定した前記優先順位が相対的に上位のチャンネルの番組関連情報を、前記上位のチャンネルに対して設定された優先順位を示す情報と関連付けて格納すると共に、前記優先順位が相対的に下位のチャンネルの番組関連情報を破棄することで、格納可能な情報の上限量以内で前記番組関連情報を格納するように管理する管理手段と、を具備する放送受信装置を提供する。
【０００９】
また本発明の実施形態は上述した課題を解決するため、複数のチャンネルの少なくとも１のチャンネルに対して優先順位を設定する設定手段と、前記複数のチャンネルで放送される番組に関連する番組関連情報を取得する取得手段と、前記番組関連情報に係る番組を放送するチャンネルのうち、前記設定手段が設定した前記優先順位が相対的に上位のチャンネルの番組関連情報を、前記上位のチャンネルに対して設定された優先順位を示す情報と関連付けて、格納可能な情報の上限量以内で格納するように管理する管理手段と、を具備する放送受信装置を提供する。
【００１０】
また本発明の実施形態は上述した課題を解決するため、複数のチャンネルの少なくとも１のチャンネルに対して優先順位を設定し、前記複数のチャンネルで放送される番組に関連する番組関連情報を取得し、前記番組関連情報に係る番組を放送するチャンネルのうち、設定された前記優先順位が相対的に上位のチャンネルの番組関連情報を、前記上位のチャンネルに対して設定された優先順位を示す情報と関連付けて格納すると共に、前記優先順位が相対的に下位のチャンネルの番組関連情報を破棄することで、格納可能な情報の上限量以内で前記番組関連情報を格納するように管理する、ことを特徴とする放送受信方法を提供する。
【発明の効果】
【００１１】
本発明の実施形態によれば、多チャンネルで放送される番組に係る情報の記憶を適応的に制御することができる。
【図面の簡単な説明】
【００１２】
【図１】本発明の実施形態に係る放送受信装置であるテレビジョン受像機の構成を示すブロック図。
【図２】信号処理制御部に備えられ、複数の番組関連情報をチャンネルごとの優先順位に基づいて記憶する処理を実行する各ブロックからなるシステム構成図。
【図３】チャンネルごとに優先順位が設定されたチャンネルリストの具体例を示す概念図。
【図４】複数の番組関連情報をチャンネルごとの優先順位に基づいて記憶する処理の動作を説明するためのフローチャート。
【発明を実施するための形態】
【００１３】
以下、本発明における実施形態について図面を用いて説明する。
図１は、本発明の実施形態に係る放送受信装置であるテレビジョン受像機１０の構成を示すブロック図である。
本実施形態に係るテレビジョン受像機１０は、放送波処理部２０、外部機器ＩＦ部２１、操作部３１、受光部３２、信号処理制御部４０、表示器５１、スピーカ５２、記憶部６１などで構成されている。放送波処理部２０にはアンテナ９８が接続されている。受光部３２はリモートコントローラ（以下、リモコンと称する）９９と情報のやりとりを行う。リモコン９９は、赤外線や無線を利用する遠隔操作機器である。
【００１４】
本実施形態に係るテレビジョン受像機１０は、複数のチャンネルそれぞれに対して優先順位を設定する。またテレビジョン受像機１０は、複数のチャンネルで放送される複数の番組それぞれの番組名や放送時間を含む番組関連情報を取得する。そしてこのテレビジョン受像機１０は、取得した複数の番組関連情報をチャンネルごとの優先順位に基づいて記憶する処理を実行する。
【００１５】
放送波処理部２０は、アンテナ９８によって受信された地上または衛星によるデジタル放送波やアナログ放送波に対応するチューナおよび復調器を有する。この放送波処理部２０は、アンテナ９８が受信した受信信号を受け、この受信信号に対して特定チャンネルの選局処理及び復調処理などを施す。そして放送波処理部２０は、これらの処理を施すことで得られた、番組の映像音声情報や番組名等の番組関連情報が含まれるトランスポートストリーム信号（以下、ＴＳ信号と称する）を信号処理制御部４０へ出力する。この放送波処理部２０は複数備えられても良い。
【００１６】
外部機器ＩＦ部２１は、ＨＤＭＩ（登録商標）規格、ＵＳＢ規格又はＩＥＥＥ１３９４規格などの様々な規格に基づいて必要な情報を抽出する情報抽出部を有する。また外部機器ＩＦ部２１は、これらの規格に準じた接続端子を介して接続された外部機器や、外部ＨＤＤ、メモリカードなどの記録媒体から受けた情報から抽出したＴＳ信号を信号処理制御部４０へ出力する。接続された外部機器や記憶媒体からの情報には、コンテンツの映像音声情報やコンテンツ名等のコンテンツ関連情報が含まれる。さらに外部機器ＩＦ部２１は、接続された外部機器からアナログの映像音声信号を入力されることがある。この外部機器ＩＦ部２１は入力されたアナログの映像音声信号をＡ／Ｄ変換し、変換したデジタルの映像音声信号を信号処置制御部４０へ出力する。
【００１７】
操作部３１は、操作キーを有し、この操作キーに応じた操作情報を信号処理制御部４０へ出力する。同様に受光部３２は、リモコン９９から送信された信号を受光して、受光した信号に応じた操作情報を信号処理制御部４０へ出力する。この操作部３１及び／又はリモコン９９は、テレビジョン受像機１０が受信する各チャンネルに対する優先順位を設定するための画面を出力する操作キー（不図示）を含む複数の操作キーを備えている。
【００１８】
信号処理制御部４０は、信号処理制御部４０自身に備えられた各モジュールや信号処理制御部４０に接続された各モジュールを利用して複数の処理を実行する。例えば信号処理制御部４０は、操作部３１又は受光部３２を介したリモコン９９からの操作情報に応じて、放送波処理部２０や外部機器ＩＦ部２１といった入力ソースの何れかからのＴＳ信号の入力を選択する。また信号処理制御部４０は、選択した入力ソースから入力されたＴＳ信号に所定の処理を施して、表示器５１へ映像情報を出力すると共にスピーカ５２へ音声情報を出力する。
【００１９】
本実施形態では信号処理制御部４０は、複数のチャンネルそれぞれに対して優先順位を設定する。また信号処理制御部４０は、放送波処理部２０を介して選局される複数のチャンネルで放送される複数の番組それぞれの番組関連情報を取得する。この信号処理制御部４０は、取得した複数のチャンネルで放送される番組の番組関連情報を、チャンネルごとの優先順位に基づいて記憶部６１に記憶する。
【００２０】
表示器５１は、信号処理制御部４０から入力された映像信号を表示する表示パネルを含む表示モジュールである。表示器５１には、例えばＬＣＤ（Liquid Crystal Display）やＰＤＰ（Plasma Display Panel）といった薄型平面ディスプレイを適用することができる。本実施形態では、表示器５１は、チャンネルに対して優先順位をユーザが設定することを許可する画面や、ＥＰＧ画面のＯＳＤを表示する。
【００２１】
スピーカ５２は、信号処理制御部４０から入力された音声信号を出力する。スピーカ５２として、左右チャンネル用に２つ、更には、入力された音声信号の低音域を出力するためのサブウーハが設けられてもよい。
【００２２】
記憶部６１は、電源の供給がされない場合でも情報を記憶することができる不揮発性メモリである。この記憶部６１は、信号処理制御部４０から出力された情報を記憶（格納）すると共に、記憶した情報を信号処理制御部４０から読み出される。本実施形態では記憶部６１は、放送波処理部２０を介して選局される各チャンネルで放送される複数の番組それぞれの番組関連情報を記憶する。また記憶部６１は、チャンネルに対して設定された優先順位を示す情報を記憶する。記憶部６１は、ＨＤＤ又はＳＳＤといったドライブ装置であってもよい。また記憶部６１がドライブ装置である場合、テレビジョン受像機１０の外部に接続されてもよい。
【００２３】
テレビジョン受像機１０は、前述した複数のブロックだけでなく、ＬＡＮ又はＷＡＮなどのネットワークを介して通信を行う通信処理部を有するネットワーク通信機能を実現するブロック（不図示）を備えてもよい。このブロックは、接続したネットワーク先の特定サーバや記録媒体などの情報提供源から、コンテンツの映像音声情報やコンテンツ関連情報が含まれる情報を受け、この情報に基づくＴＳ信号を信号処理制御部４０へ出力する。また信号処理制御部４０は、入力ソースの一つとして、このブロックから入力されるＴＳ信号を選択することも可能である。
【００２４】
なお本実施形態は、本発明に係る構成を適用した放送受信装置として、テレビジョン受像機１０を例とした実施形態である。しかし本実施形態に係る構成が、パーソナルコンピュータ、携帯型移動端末装置、ＨＤＤ／光ディスクレコーダ、セットトップボックスなどの機器に適用された実施形態であっても構わない。すなわち本発明に係る実施形態では、例えば放送波種別、信号取得経路などといった項目において限定されるものではなく、単に番組関連情報を取得する構成部及び取得した番組関連情報を記憶するように制御する構成部を有する放送受信装置であればよい。
【００２５】
このような構成により、本発明の実施形態に係るテレビジョン受像機１０に備えられた複数のブロックは、各チャンネルで放送される複数の番組それぞれの番組関連情報を取得し、チャンネルごとに設定された優先順位に基づいて、取得した番組関連情報を記憶する。すなわちこのテレビジョン受像機１０は、取得した複数の番組関連情報をチャンネルごとの優先順位に基づいて記憶する処理を実行する。従ってこのテレビジョン受像機１０は、多チャンネルで放送される番組に係る情報の記憶を適応的に制御することができる。これらの処理は、主に信号処理制御部４０が複数の処理を実行することで実現される。
【００２６】
次に、図２を用いて、図１で説明した信号処理制御部４０に備えられ、複数の番組関連情報をチャンネルごとの優先順位に基づいて記憶する処理を実行する各ブロックの構成を説明する。
【００２７】
図２は、信号処理制御部４０に備えられ、複数の番組関連情報をチャンネルごとの優先順位に基づいて記憶する処理を実行する各ブロックからなるシステム構成図である。
【００２８】
信号処理制御部４０は、番組関連情報取得部２０１、番組関連情報管理部２０２、チャンネル情報管理部２０３、ＯＳＤ生成部２０４などを備えている。
番組関連情報取得部２０１は、放送波処理部２０から入力されたＴＳ信号に含まれる番組関連情報を抽出して取得する。番組関連情報の放送形態には、特定のチャンネルで複数のチャンネル分の番組関連情報が放送される形態や、チャンネルごとに当該チャンネル分の番組関連情報が放送される形態などがある。番組関連情報取得部２０１は、取得した番組関連情報を番組関連情報管理部２０２へ出力する。この番組関連情報取得部２０１は、放送波処理部２０からではなく、外部機器ＩＦ部２１やネットワーク通信機能を実現するブロック（不図示）などからのＴＳ信号に基づいて、番組関連情報を抽出してもよいことは言うまでもない。
【００２９】
番組関連情報管理部２０２は、所定の条件に基づいて、番組関連情報取得部２０１から入力された番組関連情報を記憶すべきか否かを判定する。番組関連情報管理部２０２は、判定結果に応じて、記憶すべき番組関連情報を記憶部６１に記憶させて管理する。また番組関連情報管理部２０２は、記憶部６１から読み出した番組関連情報をＯＳＤ生成部２０４へ出力してＥＰＧ画面のＯＳＤを生成させる。
【００３０】
チャンネル情報管理部２０３は、放送波処理部２０で選局可能なチャンネルに関するチャンネル情報を記憶部６１に記憶させて管理する。例えばチャンネル情報は、チャンネル番号、放送局名、及び放送局のロゴマークなどを示す情報である。チャンネル情報管理部２０３は、チャンネル情報と関連付けられたチャンネルごとの優先順位を管理する。このチャンネル情報管理２０３は、チャンネル情報をＯＳＤ生成部２０４へ出力して、テレビジョン受像機１０の利用者にチャンネルごとの優先順位を設定させるための設定画面のＯＳＤを生成させる。
【００３１】
ＯＳＤ生成部２０４は、番組関連情報管理部２０２及びチャンネル情報管理部２０３から入力された情報に基づいたＯＳＤを生成する。このＯＳＤ生成部２０４は、番組関連情報管理部２０２から入力された番組関連情報に基づいたＥＰＧ画面のＯＳＤを生成する。またＯＳＤ生成部２０４は、チャンネル情報管理部２０３から入力されたチャンネル情報に基づいて、チャンネルごとの優先順位を設定するための設定画面のＯＳＤを生成する。
【００３２】
すなわち、これら複数のブロックによるシステム構成により、信号処理制御部４０は、テレビジョン受像機１０の利用者が設定したチャンネルごとの優先順位をチャンネル情報と関連付けて管理する。また信号処理制御部４０は、各チャンネルで放送される複数の番組それぞれの番組関連情報を取得し、取得した番組関連情報をチャンネルごとの優先順位に基づいて管理する。従って本実施形態に係るテレビジョン受像機１０は、多チャンネルで放送される番組に係る情報の記憶を適応的に制御することができる。
【００３３】
次に、図３を用いて、チャンネルごとに優先順位が設定されたチャンネルリストの具体例を説明する。
図３は、チャンネルごとに優先順位が設定されたチャンネルリストの具体例を示す概念図である。
図３に示した概念図のように、このチャンネルリストには、特定のチャンネルに対するチャンネル番号及びチャンネル名に対して優先順位が関連付けられている。この優先順位は、ＯＳＤ生成部２０４が生成した設定画面のＯＳＤを利用して、テレビジョン受像機１０の利用者が任意に設定することが可能である。
【００３４】
設定画面は特定の態様の適用に限定されず、様々な態様が適用されてよい。例えば、優先順位を示す数値が予め表示され、各数値に関連付けられるチャンネル番号又はチャンネル名の候補をプルダウン形式で提示し、利用者がこのプルダウン形式で提示された候補の中から任意に選択する態様を適用することができる。また、チャンネル番号又はチャンネル名が予め表示され、表示されたチャンネル番号又はチャンネル名に関連付けられる優先順位を利用者が設定する態様であってもよい。さらには、特定の地域を指定することで、指定された地域で受信することを推奨されたチャンネルが優先された優先順位の自動設定が行われる態様でもよい。この他に、テレビジョン受像機１０で予めチャンネルごとの優先順位を設定しておく態様も適用できる。
【００３５】
図３に示したチャンネルリストは、チャンネル情報管理部２０３が記憶部６１を利用して管理する情報を概念的に示しているが、ＯＳＤ生成部２０４が生成する設定画面などで可視化されることが好ましい。このチャンネルリストが可視化される場合、一画面内に表示できるチャンネル数は有限であるので、受信可能なチャンネル数が多くなると一画面に全てのチャンネルを表示することが困難になる。このような場合、表示できる数のチャンネルが一画面内に表示されると共に、表示できないチャンネルはスクロールすることで表示されるように構成されてもよい。
【００３６】
また複数のチャンネルそれぞれに対して、チャンネルごとに異なる１つの優先順位が設定されるのではなく、複数のチャンネルに同じ優先順位が設定されてもよい。このような構成によれば、同等レベルの優先順位であるチャンネルに対しては、同じレベルでの処理を実行させることが可能になる。
【００３７】
そして、複数の番組関連情報をチャンネルごとの優先順位に基づいて記憶する処理においては、このチャンネルリストで設定されているチャンネルごとの優先順位に基づいて番組関連情報が記憶される。
【００３８】
次に、図４を用いて、図２で説明した信号処理制御部４０に備えられる各ブロックによって実行される、複数の番組関連情報をチャンネルごとの優先順位に基づいて記憶する処理の動作を説明する。
【００３９】
図４は、複数の番組関連情報をチャンネルごとの優先順位に基づいて記憶する処理の動作を説明するためのフローチャートである。
まず、図３に示したチャンネルリストのように、ＯＳＤ生成部２０４が生成した設定画面のＯＳＤを利用して、チャンネルごとの優先順位が設定され、優先的に番組関連情報を記憶するチャンネルである優先記憶チャンネルが設定される（Ｓ４０１）。次に番組関連情報取得部２０１は、放送波処理部２０から入力されたＴＳ信号に基づいて番組関連情報を取得し（Ｓ４０２）、取得した番組関連情報を番組関連情報管理部２０２へ出力する。番組関連情報管理部２０２は、入力された番組関連情報に係るチャンネルが優先記憶チャンネルであるか否かを判定する（Ｓ４０３）。
【００４０】
このチャンネルが優先記憶チャンネルである場合（Ｓ４０３のＹｅｓ）、記憶部６１において番組関連情報を記憶可能であるか否かが判定される（Ｓ４０４）。記憶可能であるか否かとは、記憶部６１において格納可能な番組関連情報の最大量である上限量以内で番組関連情報が記憶されているか否かということである。この上限量はこのステップの処理が実行される度に任意に決定されてよい。
【００４１】
番組関連情報を記憶可能でないと判定された場合（Ｓ４０４のＮｏ）、番組関連情報管理部２０２は、記憶しようとした番組関連情報に係るチャンネルの優先順位と、既に記憶した番組関連情報と関連付けられた優先順位のうち最も低い優先順位とを比較して、優先順位の低いほうの番組関連情報を破棄する（Ｓ４０５）。そして番組関連情報管理部２０２は、優先順位の高いほうの番組関連情報を記憶する（Ｓ４０６）。すなわち、記憶しようとした番組関連情報に係るチャンネルの優先順位のほうが高い場合、この番組関連情報を新たに記憶し、既に記憶した番組関連情報と関連付けられた優先順位のうち最も低い優先順位のほうが高い場合、この番組関連情報を継続して記憶する。そして再び、番組関連情報取得部２０１は、入力されたＴＳ信号に基づいて番組関連情報を取得する（Ｓ４０２）。
【００４２】
一方、番組関連情報取得部２０１から入力された番組関連情報に係るチャンネルが優先記憶チャンネルでない場合（Ｓ４０３のＮｏ）、この番組関連情報を破棄する（Ｓ４０７）。そして番組関連情報取得部２０１は、入力されたＴＳ信号に基づいて番組関連情報を取得する（Ｓ４０２）。
【００４３】
また、入力された番組関連情報に係るチャンネルが優先記憶チャンネルであり、番組関連情報を記憶可能であると判定された場合（Ｓ４０４のＹｅｓ）、番組関連情報管理部２０２は、入力された番組関連情報を記憶部６１に記憶する（Ｓ４０８）。そして番組関連情報取得部２０１は、入力されたＴＳ信号に基づいて番組関連情報を取得する（Ｓ４０２）。
【００４４】
なお、ここで（Ｓ４０４）の処理において、上限量が任意に決定される場合の例を説明する。例えば、優先順位が１００までのチャンネル分の情報を記憶部６１に格納するように処理が開始された場合を想定する。この場合において、取得した情報が多く、この情報を格納するための記憶部６１の容量が不足すると、優先順位が８０までのチャンネル分の情報を格納するように、管理するチャンネル数が厳格化される。厳格化された後に、取得した情報が少なくなり、情報を格納するための記憶部６１の容量に余裕がでてくると、優先順位が１００までのチャンネル分の情報を格納するように、管理するチャンネル数が緩和化される。このように管理するチャンネル数が、適応的に厳格化又は緩和化されるので、上限量が任意に決定されることになる。
【００４５】
またこの処理は、取得した番組関連情報を破棄又は記憶した後に、新たな番組関連情報を取得して破棄又は記憶する動作を繰り返し実行する処理である。一般的には、番組関連情報は常に更新されながら放送されているので、図４に示したフローチャートのように番組関連情報を繰り返し取得する動作が実行される。
【００４６】
このような動作に基づいて、複数の番組関連情報をチャンネルごとの優先順位に基づいて記憶する処理は実行される。換言するとこの処理は、設定された優先順位が相対的に上位のチャンネルの番組関連情報を、この優先順位と関連付けて記憶すると共に、この優先順位が相対的に下位のチャンネルの番組関連情報を破棄することで、記憶可能な情報の上限量以内で番組関連情報が記憶されるように管理するものである。従って本実施形態に係るテレビジョン受像機１０は、多チャンネルで放送される番組に係る情報の記憶を適応的に制御することができる。
【００４７】
以上説明したように本実施形態によれば、テレビジョン受像機１０の利用者が設定したチャンネルごとの優先順位が、チャンネル情報と関連付けて管理される。また、各チャンネルで放送される複数の番組それぞれの番組関連情報が、チャンネルごとの優先順位に基づいて管理される。従って本発明の実施形態によれば、本実施形態に係るテレビジョン受像機１０は、多チャンネルで放送される番組に係る情報の記憶を適応的に制御することができる。
【００４８】
なお本発明は、前述した実施形態に限定されるものではなく、本発明の要旨を変えない範囲において、種々の変更、改変等が可能である。また、前述した実施形態に開示されている複数の構成要素を適宜に組み合わせることにより、種々の発明を形成することができる。例えば、実施形態に示される全構成要素から幾つかの構成要素を削除してもよく、さらに、異なる実施形態に係る構成要素を適宜組み合わせても良い。
【符号の説明】
【００４９】
１０…テレビジョン受像機、２０…放送波処理部、２１…外部機器ＩＦ部、３１…操作部、３２…受光部、４０…信号処理制御部、５１…表示器、５２…スピーカ、６１…記憶部、９９…リモコン、９８…アンテナ、２０１…番組関連情報取得部、２０２…番組関連情報管理部、２０３…チャンネル情報管理部、２０４…ＯＳＤ生成部。
【図１】
2011217186.tif 000003
【図２】
2011217186.tif 000004
【図３】
2011217186.tif 000005
【図４】
2011217186.tif 000006
【手続補正書】
【提出日】平成23年5月30日(2011.5.30)
【手続補正１】
【補正対象書類名】特許請求の範囲
【補正対象項目名】全文
【補正方法】変更
【補正の内容】
【特許請求の範囲】
【請求項１】
複数のチャンネルの少なくとも１のチャンネルに対して優先順位を設定する設定手段と、
前記複数のチャンネルで放送される番組に関連する番組関連情報を取得する取得手段と、
前記番組関連情報を格納する対象のチャンネル数と、前記取得された番組関連情報の格納可能な格納容量とに基づいて前記番組関連情報を格納する対象のチャンネル数の上限を決定する決定手段と、
前記決定された前記番組関連情報を格納する対象のチャンネル数の上限に基づいて前記番組関連情報に係る番組を放送するチャンネルのうち、前記設定手段が設定した前記優先順位が相対的に上位のチャンネルの番組関連情報を、前記上位のチャンネルに対して設定された優先順位を示す情報と関連付けて格納すると共に、前記優先順位が相対的に下位のチャンネルの番組関連情報を破棄することで、前記チャンネル数の上限以内で前記番組関連情報を格納するように管理する管理手段と、
を具備する放送受信装置。
【請求項２】
前記管理手段は、取得した特定チャンネルの前記番組関連情報を格納することで前記上限を超える場合は、格納しようとした前記番組関連情報に係る番組を放送する前記特定チャンネルに対して設定された優先順位と、格納した前記番組関連情報と関連付けられた優先順位のうち最も低い優先順位とを比較して、優先順位の低いチャンネルで放送される番組の番組関連情報を破棄するように管理することを特徴とする請求項１記載の放送受信装置。
【請求項３】
前記設定手段は、前記優先順位を設定することを利用者に許可することを特徴とする請求項１記載の放送受信装置。
【請求項４】
前記設定手段は、複数のチャンネルが同じ優先順位となることを許可することを特徴とする請求項１記載の放送受信装置。
【請求項５】
前記管理手段が管理して格納した前記番組関連情報に基づいて、電子番組表の画面を生成する生成手段をさらに具備することを特徴とする請求項１記載の放送受信装置。
【請求項６】
前記管理手段は、格納した前記番組関連情報の量が前記上限以下の場合は、取得した前記番組関連情報を順次格納することを特徴とする請求項１記載の放送受信装置。
【請求項７】
前記決定手段は、前記番組関連情報を格納する対象のチャンネル数の第１の上限を決定した後、前記格納容量に余裕が出ることに応じて、前記番組関連情報を格納する対象のチャンネル数を前記第１の上限よりも多い第２の上限に決定することを特徴とする請求項１記載の放送受信装置。
【請求項８】
複数のチャンネルの少なくとも１のチャンネルに対して優先順位を設定する設定手段と、
前記複数のチャンネルで放送される番組に関連する番組関連情報を取得する取得手段と、
前記番組関連情報を格納する対象のチャンネル数と、前記取得された番組関連情報の格納可能な格納容量とに基づいて前記番組関連情報を格納する対象のチャンネル数の上限を決定する決定手段と、
前記決定された前記番組関連情報を格納する対象のチャンネル数の上限に基づいて前記番組関連情報に係る番組を放送するチャンネルのうち、前記設定手段が設定した前記優先順位が相対的に上位のチャンネルの番組関連情報を、前記上位のチャンネルに対して設定された優先順位を示す情報と関連付けて、前記チャンネル数の上限以内で格納するように管理する管理手段と、
を具備する放送受信装置。
【請求項９】
複数のチャンネルの少なくとも１のチャンネルに対して優先順位を設定し、
前記複数のチャンネルで放送される番組に関連する番組関連情報を取得し、
前記番組関連情報を格納する対象のチャンネル数と、前記取得された番組関連情報の格納可能な格納容量とに基づいて前記番組関連情報を格納する対象のチャンネル数の上限を決定し、
前記決定された前記番組関連情報を格納する対象のチャンネル数の上限に基づいて前記番組関連情報に係る番組を放送するチャンネルのうち、設定された前記優先順位が相対的に上位のチャンネルの番組関連情報を、前記上位のチャンネルに対して設定された優先順位を示す情報と関連付けて格納すると共に、前記優先順位が相対的に下位のチャンネルの番組関連情報を破棄することで、前記チャンネル数の上限以内で前記番組関連情報を格納するように管理する、
ことを特徴とする放送受信方法。
【手続補正２】
【補正対象書類名】明細書
【補正対象項目名】０００８
【補正方法】変更
【補正の内容】
【０００８】
本発明の実施形態は上述した課題を解決するため、複数のチャンネルの少なくとも１のチャンネルに対して優先順位を設定する設定手段と、前記複数のチャンネルで放送される番組に関連する番組関連情報を取得する取得手段と、前記番組関連情報を格納する対象のチャンネル数と、前記取得された番組関連情報の格納可能な格納容量とに基づいて前記番組関連情報を格納する対象のチャンネル数の上限を決定する決定手段と、前記決定された前記番組関連情報を格納する対象のチャンネル数の上限に基づいて前記番組関連情報に係る番組を放送するチャンネルのうち、前記設定手段が設定した前記優先順位が相対的に上位のチャンネルの番組関連情報を、前記上位のチャンネルに対して設定された優先順位を示す情報と関連付けて格納すると共に、前記優先順位が相対的に下位のチャンネルの番組関連情報を破棄することで、前記チャンネル数の上限以内で前記番組関連情報を格納するように管理する管理手段と、を具備する放送受信装置を提供する。
【手続補正３】
【補正対象書類名】明細書
【補正対象項目名】０００９
【補正方法】変更
【補正の内容】
【０００９】
また本発明の実施形態は上述した課題を解決するため、複数のチャンネルの少なくとも１のチャンネルに対して優先順位を設定する設定手段と、前記複数のチャンネルで放送される番組に関連する番組関連情報を取得する取得手段と、前記番組関連情報を格納する対象のチャンネル数と、前記取得された番組関連情報の格納可能な格納容量とに基づいて前記番組関連情報を格納する対象のチャンネル数の上限を決定する決定手段と、前記決定された前記番組関連情報を格納する対象のチャンネル数の上限に基づいて前記番組関連情報に係る番組を放送するチャンネルのうち、前記設定手段が設定した前記優先順位が相対的に上位のチャンネルの番組関連情報を、前記上位のチャンネルに対して設定された優先順位を示す情報と関連付けて、前記チャンネル数の上限以内で格納するように管理する管理手段と、を具備する放送受信装置を提供する。
【手続補正４】
【補正対象書類名】明細書
【補正対象項目名】００１０
【補正方法】変更
【補正の内容】
【００１０】
また本発明の実施形態は上述した課題を解決するため、複数のチャンネルの少なくとも１のチャンネルに対して優先順位を設定し、前記複数のチャンネルで放送される番組に関連する番組関連情報を取得し、前記番組関連情報を格納する対象のチャンネル数と、前記取得された番組関連情報の格納可能な格納容量とに基づいて前記番組関連情報を格納する対象のチャンネル数の上限を決定し、前記決定された前記番組関連情報を格納する対象のチャンネル数の上限に基づいて前記番組関連情報に係る番組を放送するチャンネルのうち、設定された前記優先順位が相対的に上位のチャンネルの番組関連情報を、前記上位のチャンネルに対して設定された優先順位を示す情報と関連付けて格納すると共に、前記優先順位が相対的に下位のチャンネルの番組関連情報を破棄することで、前記チャンネル数の上限以内で前記番組関連情報を格納するように管理する、ことを特徴とする放送受信方法を提供する。